(57)【要約】【課題】印刷機用の新規な印刷プレートおよび新規なゴムブランケットプレートを提供する。【解決手段】本発明は、印刷機、特にロール紙輪転印刷機用の印刷プレート(10)であって、絵柄担持体として機能するプレート形状の基本ボディ(11)と、該基本ボディ(11)に対して曲がっている先行端部(12)と、基本ボディ(11)に対して曲がっている後行端部(13)とを有し、当該印刷プレートは、先行端部(12)および後行端部(13)を介して印刷機の版胴上に張設可能または載置可能となっており、先行端部(12)と後行端部(13)とは、基本ボディ(11)の一辺とほぼ同一の角度をなすように、基本ボディ(11)に対して対称に曲げられている印刷プレートにおいて、先行端部(12)および後行端部(13)はそれぞれ、基本ボディ(11)の前記辺と85度から90度の間の角度をなすようになっている印刷プレートに関する。【選択図】図１
2008110605.tif 000002
【特許請求の範囲】
【請求項１】
印刷機、特にロール紙輪転印刷機用の印刷プレートであって、絵柄担持体として機能するプレート形状の基本ボディと、該基本ボディに対して曲がっている先行端部と、前記基本ボディに対して曲がっている後行端部と、を有し、当該印刷プレートは、前記先行端部および前記後行端部を介して印刷機の版胴上に張設可能または載置可能となっており、前記先行端部と前記後行端部とは、前記基本ボディの一辺とほぼ同一の角度を成すように、前記基本ボディに対して対称に曲げられている印刷プレートにおいて、
前記先行端部(１２)および前記後行端部(１３)はそれぞれ、前記基本ボディ(１１)の前記辺と８５度から９０度の間の角度をなすようになっていることを特徴とする印刷プレート。
【請求項２】
請求項１に記載の印刷プレートにおいて、
前記先行端部(１２)および前記後行端部(１３)はそれぞれ、前記基本ボディ(１３)の前記辺と約８７度の角度をなすようになっていることを特徴とする印刷プレート。
【請求項３】
請求項１または請求項２に記載の印刷プレートにおいて、
前記先行端部(１２)および前記後行端部(１３)は、ほぼ同一の脚部長を有することを特徴とする印刷プレート。
【請求項４】
請求項１ないし請求項３のいずれか１項に記載の印刷プレートにおいて、
前記先行端部(１２)および前記後行端部(１３)はそれぞれ、３ｍｍから１２ｍｍの間の脚部長を有することを特徴とする印刷プレート。
【請求項５】
請求項１ないし請求項４のいずれか１項に記載の印刷プレートにおいて、
前記先行端部(１２)および前記後行端部(１３)は、版胴上に誤載置されることを防止するために認識可能になるように、それぞれ少なくとも１つのマーキングによってマーキングされていることを特徴とする印刷プレート。
【請求項６】
請求項５に記載の印刷プレートにおいて、
１つのまたは各マーキングは、穿孔または変形部として構成されていることを特徴とする印刷プレート。
【請求項７】
請求項５に記載の印刷プレートにおいて、
１つのまたは各マーキングは、印刷または露光されたコード、特にバーコードとして構成されていることを特徴とする印刷プレート。
【請求項８】
請求項５に記載の印刷プレートにおいて、
１つのまたは各マーキングは、ＲＦＩＤタグとして構成されていることを特徴とする印刷プレート。
【請求項９】
印刷機、特にロール紙輪転印刷機用のゴムブランケットプレートであって、プレート形状の基本ボディと、該基本ボディに対して曲がっている先行端部と、前記基本ボディに対して曲がっている後行端部と、を有し、当該ゴムブランケットプレートは、前記先行端部および前記後行端部を介して印刷機の転写胴上に張設可能または載置可能となっており、前記先行端部と前記後行端部とは、前記基本ボディの一辺とほぼ同一の角度をなすように前記基本ボディに対して対称に曲げられているゴムブランケットプレートにおいて、
前記先行端部(１２)および前記後行端部(１３)はそれぞれ、前記基本ボディの前記辺と８５度から９０度の間の角度をなすようになっていることを特徴とするゴムブランケットプレート。
【請求項１０】
請求項９に記載のゴムブランケットプレートにおいて、
前記先行端部および前記後行端部はそれぞれ、前記基本ボディの前記辺と約８７度の角度をなすようになっていることを特徴とするゴムブランケットプレート。
【請求項１１】
請求項９または請求項１０に記載のゴムブランケットプレートにおいて、
前記先行端部および前記後行端部は、ほぼ同一の脚部長を有することを特徴とするゴムブランケットプレート。
【請求項１２】
請求項９ないし請求項１１のいずれか１項に記載のゴムブランケットプレートにおいて、
前記先行端部および前記後行端部はそれぞれ、３ｍｍと１２ｍｍの間の脚部長を有することを特徴とするゴムブランケットプレート。
【発明の詳細な説明】
【技術分野】
【０００１】
本発明は請求項１のプレアンブルに記載の印刷機用の印刷プレートに関する。さらに、本発明は請求項９のプレアンブルに記載の印刷機用のゴムブランケットプレートに関する。
【背景技術】
【０００２】
印刷機の印刷装置は版胴および転写胴を有する。この場合、版胴上には少なくとも１つの印刷版が設けられており、転写胴上には少なくとも１つの転写版が設けられている。印刷版は、通常、印刷プレートとして構成されており、転写版は、通常、ゴムブランケットプレートとして構成されている。それゆえ、版胴はプレート胴とも呼ばれ、転写胴はゴム胴とも呼ばれる。印刷プレートおよびゴムブランケットプレートは、印刷機の印刷装置の各胴上に胴張りまたは張設されている。ここで、この目的のために、印刷プレートおよびゴムブランケットプレートは、自身のプレート形状の基本ボディに対して曲がっている先行端部および後行端部を有している。たとえば、印刷プレートを版胴上に張設すべき場合には、印刷プレートの先行端部および後行端部は、版胴の少なくとも１つの張設溝内に導入され、各張設溝内において、該張設溝に一体化されているクランプ装置によって緊締される。
【０００３】
特許文献１から、印刷機の版胴において印刷プレートを自動交換することが既に公知となっている。ここで、この先行技術によると、この場合に用いられる印刷プレートは、プレート形状の基本ボディに対して印刷プレートの先行端部(Vorlaufende)および後行端部(Nachlaufende)が対称をなすように曲がっており、それにより、先行端部および後行端部が基本ボディの一辺とほぼ同一の角度をなすように構成されている。
【０００４】
この場合、先行端部および後行端部はそれぞれ、基本ボディと、４５度よりも小さい比較的鋭い角度をなすように曲げられている。このように鋭角になっていると、張設された印刷プレートを交換するために先行端部および後行端部に共働する緊締装置を取り外す場合に、先行端部および後行端部が張設溝内を塞いでしまい、それらを張設溝から手動操作で取り外さなくてはならなくなる、というおそれがある。このことは、印刷プレートの自動交換に支障を来たすので防止しなくてはならない。ゴムブランケットプレートを自動交換すべき場合にも同じ問題が生じる。
【特許文献１】米国特許第4,727,807号明細書
【発明の開示】
【発明が解決しようとする課題】
【０００５】
上記に鑑みて、本発明の課題は、印刷機用の新規な印刷プレートおよび新規なゴムブランケットプレートを提供することである。
【課題を解決するための手段】
【０００６】
上記課題は、請求項１に係る印刷プレートによって解決される。本発明によると、先行端部および後行端部はそれぞれ、基本ボディの一辺と８５度から９０度の間の角度をなす。
【０００７】
本発明によると、先行端部も後行端部もそれぞれ、基本ボディの一辺と８５度から９０度の間の一定の角度をなす。これによって、先行端部および後行端部がプレートの自動交換の際に張設溝内を塞ぐことが防止される。それどころか、このような角度にすることによって、印刷プレートの先行端部および後行端部は、各張設溝から自動的に飛び出てくるので、先行端部および後行端部を対応の張設溝から取り外すために手動操作を行う必要がなくなる。
【０００８】
好ましくは、先行端部および後行端部は、ほぼ同じ脚部長を有する。すなわち３ｍｍから１２ｍｍの間の脚部長である。
【０００９】
本発明に係るゴムブランケットプレートは独立請求項９に記載されている。
【発明を実施するための最良の形態】
【００１０】
本発明の好適な構成は従属請求項および以下の説明から明らかとなるであろう。本発明の実施例を図面に基づいて詳細に説明するが、本発明はこれに限定されない。
【００１１】
図１は、本発明に係る印刷プレート１０を大幅に概略化して示したものである。同図において、印刷プレート１０は、プレート形状の基本ボディ１１を有しており、この基本ボディは、絵柄担持体または印刷画線部担持体として機能する。印刷プレート１０は、互いに対向する両端において、基本ボディ１１に対して曲がっている部分、すなわちいわゆる先行端部１２と、いわゆる後行端部１３とを有する。先行端部１２および後行端部１３を介して、印刷プレート１０が版胴上に、張設可能または載置可能となっている。ここで、この目的のために、版胴は、少なくとも１つの張設溝と、各張設溝に一体化されているクランプ装置とを有している。
【００１２】
図１によると、先行端部１２および後行端部１３は、基本ボディ１１に対して対称に曲がっている。これにより、先行端部１２および後行端部１３は、基本ボディ１１の一辺とほぼ同一の角度αをなす。この場合、角度αは８５度から９０度の間にある。好ましくは、角度αは約８７度である。
【００１３】
このように曲げられた先行端部１２および後行端部１３においては、版胴上に張設された印刷プレート１０が取り外されると先行端部１２および後行端部１３が、それぞれ自動的に版胴の張設溝から飛び出し、この張設溝内部を塞ぐことがないようになることが保証されている。
【００１４】
先行端部１２および後行端部１３の脚部の長さが、ほぼ同一になっていることが好ましい。この場合、先行端部１２および後行端部１３の脚部の長さは、３ｍｍと１２ｍｍの間の範囲にある。このような脚部の長さによって、版胴上に張設された印刷プレートを取り外す際に、先行端部１２および後行端部１３が張設溝から容易に飛び出てくるようになる。
【００１５】
印刷プレートの上記構成は、ゴムブランケットプレートについても同様に採用可能である。ただし、ゴムブランケットプレートは、印刷装置の版胴上にではなく、印刷装置の転写胴上に張設可能なものである。これに関連して、ゴムブランケットプレートは印刷画線部を担持するのではなく、絵柄に依存して印刷プレート上に塗布される印刷インキを、印刷を施すべき被印刷材料上に転写するものである、ということに言及しておく。
【００１６】
本発明に係る印刷プレートおよび本発明に係るゴムブランケットプレートは、対応の胴の軸方向の全幅にわたって延在し得る。その場合、印刷プレート幅またはゴムブランケットプレート幅は、各胴の使用可能な軸方向の延在長に相当する。
【００１７】
代替的に、軸方向に隣接する複数の印刷プレートまたはゴムブランケットプレートを胴上に張設することも可能である。その場合、印刷プレート幅またはゴムブランケットプレート幅は、各胴の使用可能な幅の整数除数(ganzzahligen Teiler)に相当する。
【００１８】
同様に、印刷プレート高さまたはゴムブランケットプレート高さは、胴の周方向で見て胴上に１つの印刷プレートまたはゴムブランケットプレートのみが張設されることになっているのか、または複数の印刷プレートまたはゴムブランケットプレートが連続して張設されることになっているのかに応じて、各胴の円周または各胴の円周の整数除数に相当する。
【００１９】
印刷プレートでは、先行端部１２および後行端部１３が、少なくとも１つのマーキングによってマーキングされていることが好ましい。これによって、印刷プレートを版胴上に間違って載置または張設することを防止するために先行端部および後行端部を認識することができるようになっている。
【００２０】
この場合、１つのまたは各マーキングは、穿孔または変形部として構成され得る。これらは、各胴または自動化されたプレート交換装置の対応の輪郭線と共働するので、印刷プレートを胴上に張設する際に先行端部および後行端部を取り違えるのが防止される。
【００２１】
穿孔または変形部として構成された１つのまたは各マーキングによって、印刷版が正しい見当合わせで版胴上に張設可能または載置可能になることが保証され得る。
【００２２】
代替的に、１つまたは各マーキングは、照射または印刷によって施されたコードとして構成することもできる。この場合、コードは、たとえば文字、符号またはバーコードであり得る。その場合、胴または自動化された印刷プレート交換装置には、レーザ装置を対応させて設け、それによって、胴上に印刷プレートを張設する際に先行端部および後行端部を取り違えることを防止するために、印刷プレートからコードを読み取ることができる。
【００２３】
さらなる代替案として、１つのまたは各マーキンを、非接触式に読取可能なＲＦＩＤタグとして構成することもできる。この場合、胴またはプレート交換装置には、ＲＦＩＤタグを読み取るためのレーザ装置が対応させて設けられている。
【００２４】
本発明に従って構成された印刷プレートによって、図２および図３に係る印刷機の印刷ユニットにおいてプレートを交換することが可能になる。ここで、図２および図３はそれぞれ、印刷装置１６をそれぞれ４つずつ有するロール輪転印刷機の印刷ユニット１４または１５を概略的に示している。ここで、各印刷装置は、版胴１７および転写胴１８を有している。図２では、印刷ユニット１４が、いわゆる８胴印刷ユニットとして構成されている。ここでは、転写胴１８に隣接する印刷装置１６が互いに対して回転し、印刷間隙を画定している。この印刷間隙を通過して、印刷すべき被印刷材料１９が移動する。これに対して、図３では、印刷装置１５がいわゆる９胴印刷ユニットとして構成されている。ここでは、全転写胴１８が１つの衛星胴２０に対して回転するとともに、この衛星胴とともに印刷間隙を形成する。この印刷間隙を通過して、印刷すべき被印刷材料１９が移動する。
【００２５】
先行端部および後行端部が対称に曲げられている印刷プレート１０を使用する場合、先行端部または後行端部をまず張設溝に緊締し、それによって、印刷プレートを張設する際または取り外す際の胴の回転方向を選択することができる。
【００２６】
さらに、全ての印刷プレート１０を水平な供給方向で各版胴１７に供給することができる。図２および図３の右側に示されている印刷装置１６の領域において、他の印刷装置の胴と、形状寸法上、衝突することなく、いわゆるパノラマ印刷プレートを張設することができる。このパノラマ印刷プレートは、図２および図３の左側に示されている印刷プレート１０とは異なり、対応の版胴１７の全周にわたって延在するものである。
【図面の簡単な説明】
【００２７】
【図１】本発明に係る印刷プレートの概略図である。
【図２】本発明に係る印刷プレートとともに示す、ロール紙輪転印刷機の印刷ユニットの概略図である。
【図３】本発明に係る印刷プレートとともに示す、ロール紙輪転印刷機のさらなる印刷ユニットの概略図である。
【符号の説明】
【００２８】
１０  印刷プレート
１１  基本ボディ
１２  先行端部
１３  後行端部
１４,１５  印刷ユニット
１６  印刷装置
１７  版胴
１８  転写胴
１９  被印刷材料
２０  衛星胴
【図１】
2008110605.tif 000003
【図２】
2008110605.tif 000004
【図３】
2008110605.tif 000005